(57)【要約】【課題】ブラインドの昇降コードが案内ローラーから離脱して案内ローラーとローラーホルダー間に絡み合うことを防ぐことができるコード案内装置を提供する。【解決手段】前後方向に沿って互いに離れている案内ローラー４の外側縁部には、前後方向と垂直である方向へそれぞれ突出したフランジ４２が設けられ、２つのフランジ４２の間には、前後方向と垂直である方向に沿い、且つ昇降コード２２を巻くためのロール面４３が形成されている。コードブロックユニット５は、ローラーホルダー３に着脱可能に取り付けられ、昇降コード２２が緩んでフランジ４２から外れることを防ぐために、案内ローラー４と対向し、且つロール面４３に近づくように配置されているブロック面５１１を有する。【選択図】図２
2014152604.tif 000002
【特許請求の範囲】
【請求項１】
ブラインドの少なくとも１本の昇降コードを案内するものであって、
前記ブラインドに取り付けられるローラーホルダーと、
前記ローラーホルダーの前後方向に平行な軸線を軸として前記ローラーホルダーに取り付けられているものであり、前記前後方向に沿って互いに離れており、且つ各外側縁部からそれぞれ前記前後方向と垂直である方向に沿って突出されているフランジを有し、前記２つのフランジの間には、前記前後方向と垂直である左右方向に沿い、且つ前記昇降コードを巻くためのロール面が形成されている少なくとも１つの案内ローラーと、
前記ローラーホルダーに着脱可能に取り付けられており、前記昇降コードが緩んで前記フランジから外れることを防ぐため、前記案内ローラーの前記ロール面に近づき、且つ対向するように配置されているブロック面を有するコードブロックユニットと、
を備えていることを特徴とするブラインドのコード案内装置。
【請求項２】
前記コードブロックユニットは、前記ブロック面が形成されているブロック部を少なくとも１つ有する一体成型により形成されたカバーであることを特徴とする請求項１に記載のブラインドのコード案内装置。
【請求項３】
前記ローラーホルダーは、
前記ブラインドに取り付けられるベース壁と、
前記ベース壁と共に前記案内ローラーを配置するように、前記ベース壁の前記左右方向の両側からそれぞれ突出して形成されている第１側壁及び第２側壁とを有し、
前記コードブロックユニットには、前記第１側壁に着脱可能に結合される第１留め部がさらに設けられていることを特徴とする請求項２に記載のブラインドのコード案内装置。
【請求項４】
前記コードブロックユニットには、前記第１留め部と対向し、且つ第２側壁に着脱可能に結合される第２留め部がさらに設けられていることを特徴とする請求項３に記載のブラインドのコード案内装置。
【請求項５】
前記ブロック部は、前記第２側壁に回転可能に結合される当て部を有し、前記当て部は、前記ブロック部の前記前後方向の２つの側縁の端面から突出して設けられ、前記当て部には、前記第２側壁に回転可能に結合させるためのピン孔が設けられ、
前記第２側壁には、前記ピン孔に回転可能に挿入される軸部が設けられていることを特徴とする請求項３に記載のブラインドのコード案内装置。
【請求項６】
前記ローラーホルダーは、
前記ベース壁と共に前記案内ローラーを配置させるように、前記ベース壁の前記前後方向の両側からそれぞれ上方へ向かって形成されている２つの支え壁をさらに有し、
前記支え壁には、前記案内ローラーにそれぞれに対応し、且つ前記案内ローラーを回転可能に嵌入させる２つの軸孔が設けられ、
前記ブロック面は、前記ベース壁と対向し、且つ前記支え壁の上方端面に接触するように設けられていることを特徴とする請求項３、４又は５に記載のブラインドのコード案内装置。
【請求項７】
前記ブラインドは、２本の前記昇降コードを有し、
前記コード案内装置は、２本の前記昇降コードを巻くための２つの前記案内ローラーを含み、
前記コードブロックユニットは、２つの前記案内ローラーと対向するように設けられている２つの前記ブロック面を有し、前記ブロック部は、前記ブロック面が一体になれるように２つのブロック部で設けられていることを特徴とする請求項１に記載のブラインドのコード案内装置。
【請求項８】
前記ローラーホルダーは、
前記ブラインドに取り付けられるベース壁と、
前記ベース壁と共に前記案内ローラーを配置させるように、前記ベース壁の前記前後方向の両側からそれぞれ上方に向かって形成されている２つの支え壁とを有し、
前記支え壁には、対応する前記案内ローラーを回転可能に支持する軸孔を構成する複数組のロッド状の張出し部が設けられ、
前記コードブロックユニットは、前記前後方向に沿って前記張出し部に回転可能に架設されるロッドを有し、
前記張出し部には、前記ロッドを回転可能に枢結させる枢結孔が設けられ、
各前記ロッドは、前記ロール面と対向し、且つ前記ロッドの前記前後方向に沿うロッドの軸と同軸に設けられる外周面を前記ブロック面として用いることを特徴とする請求項１に記載のブラインドのコード案内装置。
【請求項９】
前記ブラインドは、２本の前記昇降コードを有し、
前記コード案内装置は、２本の前記昇降コードを巻くための２つの前記案内ローラーを含み、
前記支え壁は、二組の前記張り出し部を有し、
前記コードブロックユニットは、４本の前記ロッドを含むことを特徴とする請求項８に記載のブラインドのコード案内装置。
【発明の詳細な説明】
【技術分野】
【０００１】
本発明は、ブラインドカーテンに用いられるコード案内装置に関する。
【背景技術】
【０００２】
図１２は、従来の横型ブラインドカーテンのコード案内装置の一例を示す。該横型ブラインド１は、例えば窓枠（図示せず）等に取り付けられるトップフレーム１１と、トップフレーム１１の下方で複数のスラットが隙間をあけてトップフレーム１１と平行なるように配置されてなった遮蔽手段１２と、遮蔽手段１２を上下に昇降させる昇降コード１５と、昇降コード１５が巻かれ、且つトップフレーム１１に設けられたコード巻取り装置１３と、昇降コード１５をコード巻取り装置１３側に案内するようにトップフレーム１１の両側に配置された２つのコード案内装置１４、１４とを備えている。コード案内装置１４はそれぞれ、トップフレーム１１に設けられており、且つ昇降コード１５を巻く案内ローラー１４２が取り付けられたローラーホルダー１４１を有する。ローラーホルダー１４１には、昇降コード１５を遮蔽手段１２側へ引き出す定位孔１４０が設けられている。案内ローラー１４２は、昇降コード１５が巻かれるウェブ部１４４と、ウェブ部１４４の両側から案内ローラー１４２の軸方向と垂直である径方向へ突出したフランジ部１４３とで構成されている。案内ローラー１４２に巻かれ、且つ定位孔１４０を介して遮蔽部材１２に取り付けられている昇降コード１５の巻き運動により、遮蔽部材１２を上下に昇降させるようになっている。
【先行技術文献】
【特許文献】
【０００３】
【特許文献１】台湾登録実用新案第２６３８７７号
【発明の概要】
【発明が解決しようとする課題】
【０００４】
前述した従来のようなブラインドでは、昇降コード１５の巻き運動により遮蔽部材１２をバランスよく、水平状態で昇降させることができないとき、昇降コード１５が２つの案内ローラー１４２、１４２の間で緩んで張力がなくなってしまい、且つフランジ部１４３から離脱する可能性がある。従って、昇降コード１５をウェブ部１４４に順に巻くことができず、昇降コード１５がローラーホルダー１４１と案内ローラー１４２との間に絡み合って動けなくなる問題点がある。
【０００５】
本発明は、上記問題点を解決するため、昇降コードが案内ローラーから離脱することを防ぐことができ、巻き運動を円滑に行うことができるブラインドのコード案内装置を提供することを目的とする。
【課題を解決するための手段】
【０００６】
上記目的を達成するため、本発明は、ブラインドの少なくとも１本の昇降コードを案内するコード案内装置を提供する。前記コード案内装置は、前記ブラインドに取り付けられるローラーホルダーと、前記ローラーホルダーの前後方向に平行な軸線を軸として前記ローラーホルダーに取り付けられ、前記前後方向に沿って互いに離れており、且つ外側縁部からそれぞれ前記前後方向と垂直である方向へ突出されるフランジを有し、２つのフランジの間には、前記前後方向と垂直であり方向に沿う前記昇降コードを巻くためのロール面が形成されている少なくとも１つの案内ローラーと、前記ローラーホルダーに着脱可能に取り付けられており、前記昇降コードが緩んで前記フランジから外れることを防ぐため、前記案内ローラーと対向し、前記ロール面に近づくように配置されているブロック面を有するコードブロックユニットと、を備えていることを特徴とするブラインドのコード案内装置を提供する。
【発明の効果】
【０００７】
本発明に係るコード案内装置によれば、コードブロックユニットは、ローラーホルダーに近づき、且つ対向するブロック面を有しているので、昇降コードが案内ローラーのフランジから離脱することを阻止することができる。従って、昇降コードが案内ローラーのフランジから離脱して案内ローラーとローラーホルダーとの間に絡み合うことを防ぐことができるので、昇降コードを安定的に案内ローラーに巻くことができる。
【図面の簡単な説明】
【０００８】
【図１】本発明に係るコード案内装置が取り付けられたブラインドを示す斜視図である。
【図２】本発明に係るコード案内装置の第１実施形態を示す分解斜視図である。
【図３】ブラインドに取り付けられた第１実施形態の組立断面図である。
【図４】ブラインドに取り付けられた本発明に係るコード案内装置の第２実施形態を示す組立断面図である。
【図５】本発明に係るコード案内装置の第３実施形態を示す分解斜視図である。
【図６】ブラインドに取り付けられた第３実施形態の組立断面図である。
【図７】本発明に係るコード案内装置の第４実施形態を示す分解斜視図である。
【図８】ブラインドに取り付けられた第４実施形態の組立断面図である。
【図９】本発明に係るコード案内装置の第５実施形態を示す分解斜視図である。
【図１０】ブラインドに取り付けられた第５実施形態の組立断面図である。
【図１１】本発明に係るコード案内装置の第６実施形態を示す分解斜視図である。
【図１２】従来のコード巻取り装置及びコード案内装置を備えたブラインドの一例を示す斜視図である。
【発明を実施するための形態】
【０００９】
以下、本発明の好適な実施形態について図面を参照しながら説明する。各図面に示される同一または同等の構成要素には、同一の符号を付し、重複した説明は適宜省略する。また、本発明の実施形態は、本発明を限定するものではなく、ただの例示に過ぎない。すなわち、本発明の実施形態に記述されるすべての特徴やその組み合わせは、必ずしも発明の実施形態にのみ限定されるものではない。
【００１０】
（第１実施形態）
本実施形態に係るブラインドカーテン２は、図１に示されているように、例えば横型ブラインドであり、トップフレーム２１と、遮蔽手段２３と、複数の昇降コード２２と、コード巻取り装置２４と、コード案内装置２０とを備えている。
【００１１】
トップフレーム２１は、例えば窓枠に取り付けられる。トップフレーム２１は、それぞれ遮蔽手段２３の横方向に沿う左右方向へ延伸されていると共に、左右方向と垂直である前後方向において、一定の間隔をおいて平行になるように対向している２つの側壁２１ａ、２１ａと、各側壁２１ａの長手方向の端部同士を繋ぐ２つの端壁２１ｂ、２１ｂと、各側壁２１ａ、各端壁２１ｂとの間に上方開口を有し、且つ断面が略Ｕ字形である収容空間２００が形成されている底壁２１ｃとを有する。また、底壁２１ｃには、２つの位置決め孔２１ｄ、２１ｄ（図３参照）が上下方向に貫通するように形成されている。
【００１２】
遮蔽手段２３は、トップフレーム２１の底壁２１ｃから吊り下げられている。遮蔽手段２３は、コード巻取り装置２４による昇降コード２２の巻き運動により巻き上げた時は、トップフレーム２１近くに畳み上げられ、降した時は、折り畳み状態から解放されて展開するように設けられている。遮蔽手段２３は、例えば図１に示されているように、それぞれハニカム状に形成されるスラットを上下方向に繋ぎ合わせて構成することができるが、その具体的な形状は本発明において限定しない。本実施形態では、１つのコード案内装置２０に２本の昇降コード２２、２２が用いられる。なお、コード巻き装置２４による昇降コード２２の巻き運動は、当該技術分野では既知技術であるため、ここではその説明を省略する。
【００１３】
各コード案内装置２０は、ローラーホルダー３と、案内ローラー４と、コードブロックユニット５とを備えている。本実施形態において、コード案内装置２０は、コード巻取り装置２４の左右方向の両側にそれぞれ１つずつ設けられ、１つのコード案内装置２０には、案内ローラー４が２つずつ設けられているが、コード案内装置２０、案内ローラー４の数はこれにのみ限定されるものではない。
【００１４】
ローラーホルダー３は、底壁２１ｃに取り付けられ、且つ左右方向に沿って板状に形成されたベース壁３１と、ベース壁３１の前後方向の両側にそれぞれ上方に向かって垂直に形成された２つの支え壁３２と、ベース壁３１の左右方向の両側に上方に向かって垂直に形成された第１側壁３３及び第２側壁３３´とを有する上方が開放されたケース状の筐体である。
【００１５】
ベース壁３１には、位置決め孔２１ｄに対応する定位孔３１１が設けられている。各支え壁３２において、案内ローラー４、４にそれぞれ対応する位置には、案内ローラー４の支軸４１を回転可能に支持する２つの軸孔３２２を構成する一対のロッド状の張出し部３２１が設けられている。軸孔３２２は、張出し部３２１、３２１間の入り口が底よりも狭く設けられている。張出し部３２１は、ベース壁３１の反対側にある上方端面３２３を有し、各上方端面３２３は同じ高さに設けられている。
【００１６】
この実施形態において、第１側壁３３及び第２側壁３３´は同様に設けられ、各側壁は、昇降コード２２が通過する通孔３３２が形成されている案内周面３３３を有し、案内周面３３３は、ベース壁３１と対向する端面部３３４を有する。
【００１７】
各案内ローラー４は、第１側壁３３と第２側壁３３´との間に介在するようにローラーホルダー３内に回転可能に取り付けられている長手状の円筒体であり、昇降コード２２が巻かれるロール面４３を有する。円筒体の回転中心である案内ローラー４の長手状の支軸４１は、張出し部３２１によって構成された軸孔３２２に回転可能に取り付けられている。案内ローラー４の長手両側には、互いに離れているフランジ４２、４２が形成されている。フランジ４２は、支軸４１の軸方向と垂直である径方向へ突出して形成されている。昇降コード２２のコード巻き装置２４によりガイドされるコードの自由端は、通孔３３２を介して対応する案内ローラー４に巻かれ、且つ定位孔３１１を通過して遮蔽手段２３側へ案内される。
【００１８】
コードブロックユニット５は、ローラーホルダー３の上方に着脱可能に設けられており、且つ２つの案内ローラー４にそれぞれに対応する位置に設けられているブロック部５１、５１と、２つのブロック部５１、５１の間に連結され、且つブロック部５１よりもローラーホルダー３側の下側へ窪んで形成された連結部５２とを有している。ブロック部５１は、その案内ローラー４のロール面４３に近づき、且つ昇降コード２２が緩んでフランジ４２、４２から外れることを防ぐためのブロック面５１１を有する。
【００１９】
この実施形態では、コードブロックユニット５は、一枚の板体により構成され、且つブロック部５１、５１と連結部５２とが一体に連結されているカバーとして機能する。
【００２０】
２つのブロック部５１の左右方向の外側縁部には、それぞれ第１側壁３３と第２側壁３３´に結合される留め部５３、５３´が設けられている。この実施形態では、留め部５３、５３´は、第１側壁３３及び第２側壁３３´を外側からそれぞれ被覆するようにブロック面５１１、５１１の左右方向の外側縁から下方へ折り曲げられて形成されている。
【００２１】
留め部５３、５３´には、それぞれ第１側壁３３及び第２側壁３３´の端面部３３４、３３４に係止されるフック状の係止突起５３１、５３１が設けられている。
【００２２】
この実施形態で、ブラインド２を組み立てるとき、１つのコード案内装置２０によって２本の昇降コード２２、２２が案内されるようにトップフレーム２１に２つのコード案内装置２０、２０を取り付ける。昇降コード２２を対応する案内ローラー４に巻いて定位孔３１１を介して遮蔽手段２３側へ案内する。昇降コード２２が巻かれた案内ローラー４の支軸４１を軸孔３２２に挿入して、案内ローラー４をローラーホルダー３内に装着する。コードブロックユニット５でローラーホルダー３を覆うと、２つのブロック部５１のブロック面５１１が上方端面３２３に接触されると共に、留め部５３、５３´により第１側壁３３と第２側壁３３´が取り囲まれて、係止突起５３１、５３１が端面部３３４、３３４に係着される。これにより、コードブロックユニット５がローラーホルダー３を覆うように安定に取り付けることができる。
【００２３】
上記のように構成された構造において、コード案内装置２０がトップフレーム２１に装着され、昇降コード２２が位置決め孔２１ｄを通して遮蔽手段２３に連結されている。昇降コード２２による巻き運動によって遮蔽手段２３を上下に昇降させることができる。遮蔽手段２３をバランスよく、横幅方向の水平状態に昇降させることができない場合、例えばいずれかのコード案内装置２０内において、図３に示されているように昇降コード２２に緩み分Ａ（破線）が発生して、張力がなくなる場合、ブロック面５１１がロール面４３に近づいて上方端面３２３にほぼ接触するようにコードブロックユニット５がローラーホルダー３の上に係着されているので、昇降コード２２に発生した緩み分Ａが案内ローラー４のフランジ４２、４２から離脱することを阻止することができる。
【００２４】
従って、昇降コード２２が離脱してローラーホルダー３と案内ローラー４との間に絡み合うことを防ぐことができる。すなわち、昇降コード２２を引き力をよく調節することにより、遮蔽手段２３をバランスよく水平状態で昇降させることができる。
【００２５】
以上のように構成された本実施形態に係るコード案内装置２０において、コードブロックユニット５のブロック面５１１は、ローラーホルダー３に近づき、且つ対向するように設置されているので、昇降コード２２が案内ローラー４のフランジ４２、４２から離脱することを阻止することができる。従って、昇降コード２２が案内ローラー４のフランジ４２から離脱して案内ローラー４とローラーホルダー３の間に絡み合うことを防ぐことができるので、昇降コード２２を安定的に案内ローラー４に巻くことができる。
【００２６】
（第２実施形態）
図４は、ブラインドに装着されて用いられる第２実施形態に係るコード案内装置を示す断面図である。上記第１実施形態においては、一方のブロック部５１と他方のブロック部５１に第１側壁３３、第２側壁３３´と結合する留め部５３、５３´が設けられた場合について説明したが、本実施形態はこのような実施形態にのみ制限されるものではない。例えば、本実施形態では、コードブロックユニット５に留め部５３が一つのみ設けられている。
【００２７】
上記のように構成されたコードブロックユニット５は、上記第１実施形態と同様に、昇降コード２２が緩んでフランジ４２、４２から離脱することを防ぐためのブロック面５１１を有するので、コードブロックユニット５をローラーホルダー３の上に係着させた後、昇降コード２２に緩み部が発生しても、ブロック面５１１により昇降コード２２が案内ローラー４から離脱することを阻止することができる。従って、昇降コード２２を案内ローラー４に安定的に巻くことができる。
【００２８】
（第３実施形態）
図５は、第３実施形態に係るコード案内装置を示す斜視図であり、図６は、ブラインドに装着されたコード案内装置を示す断面図である。
【００２９】
この実施形態においては、ブロック部５１の一方にのみ第１側壁３３と結合する留め部５３が設けられている。ブロック部５１の他方の前後方向の両端端面には、例えば、コード巻取り装置２４のそばにある支え壁３２の張出し部３２１と対向し、且つ留め部として用いる当て部５４が下方へ延伸して設けられている。当て部５４には、ピン孔５４１が前後方向に貫通して設けられている。
【００３０】
第２側壁３３´の上端縁部の外側には、当て部５４と結合するつば部が左右方向へ設けられており、つば部の前後方向の外端面には、ピン孔５４１を挿入させるための軸部３３５が突出されている。このような構造により、コードブロックユニット５をローラーホルダー３に回動可能に係着させることができる。
【００３１】
コードブロックユニット５は、上記第１実施形態と同様に、昇降コード２２が緩んでフランジ４２、４２から離脱することを防ぐブロック面５１１を有するので、コードブロックユニット５をローラーホルダー３の上に取り付けつることにより、昇降コード２２が案内ローラー４から離脱して、案内ローラー４とローラーホルダー３との間に絡み合うことを防ぐことができる。
【００３２】
（第４実施形態）
図７は、第４実施形態に係るコード案内装置を示す斜視図であり、図８は、ブラインドに装着されたコード案内装置を示す断面図である。
【００３３】
上記各実施形態においては、コードブロックユニット５が１枚の板体で構成された場合について説明したが、この実施形態においては、２枚の板体で構成されている。
【００３４】
本実施形態のコードブロックユニット５は、２つのブロック部５１で構成されている。各ブロック部５１は、案内ローラー４側の下側へ窪んで形成された連結部５５を有し、組み立てた後、各ブロック部５１の連結部５５が互いに対向し、且つ接触するように設けられている。ブロック部５１、５１にはそれぞれ、第３実施形態と同様に下方に延伸される当て部５４、５４が設けられている。当て部５４、５４には、前後方向に貫通したピン孔５４１、５４１が設けられている。
【００３５】
第１側壁３３と第２側壁３３´の上端縁部の外側には、それぞれ左右方向へ向かうつば部が設けられており、つば部の前後方向の外端面には、対応するピン孔５４１に挿入させるための軸部３３５が突出して設けられている。このような構造により、コードブロックユニット５をローラーホルダー３に回動可能に係着させることができる。
【００３６】
この実施形態において、コードブロックユニット５は、昇降コード２２が緩んでフランジ４２、４２から離脱することを防ぐブロック面５１１を有すると共に、ローラーホルダー３に回動可能に係着されている。
【００３７】
以上の通り構成されたコード案内装置２０は、上記第１実施形態と同様に昇降コード２２が緩んでフランジ４２、４２から離脱することを防ぐブロック面５１１を有するので、昇降コード２２が案内ローラー４から離脱して、案内ローラー４とローラーホルダー３との間に絡み合うことを防ぐことができる。
【００３８】
（第５実施形態）
図９は、第５実施形態に係るコード案内装置を示す斜視図であり、図１０は、ブラインドに装着されたコード案内装置を示す断面図である。
【００３９】
張出し部３２１の上方端面３２３には、前後方向に貫通する枢結孔３２４が設けられ、コードブロックユニット５は、枢結孔３２４に対応する本数を有し、且つブロック部として用いるロッド５６を有する。各ロッド５６の前後方向の両端部は、対応する枢結孔３２４、３２４に回転可能に枢結されている。各ロッド５６は、ロール面４３と対向し、且つロッド５６の前後方向に沿うロッドの軸と同軸に設けられ、ブロック面として用いる外周面５６１を有する。なお、この実施形態において、枢結孔３２４は、前後方向に１つずつ設けられる四組である８つの枢結孔有し、ロッド５６は、その両端部が一組である２つの枢結孔３２４、３２４にそれぞれ挿通され、且つ一組の張り出し部３２１の間にそれぞれ架設されている４本のロッドを有している。
【００４０】
以上のように構成された本実施形態に係るコード案内装置２０において、コードブロックユニット５はローラーホルダー３に近づいて対向するブロック面５６１を有するので、昇降コード２２が案内ローラー４のフランジ４２、４２から離脱することを阻止することができる。従って、昇降コード２２が案内ローラー４のフランジ４２から離脱して案内ローラー４とローラーホルダー３との間に絡み合うことを防ぐことができるので、昇降コード２２を安定的に案内ローラー４に巻くことができる。
【００４１】
（第６実施形態）
図１１は、第６実施形態に係るコード内装置を示す斜視図である。この実施形態は第２実施形態に似ているが、本実施形態のコード案内装置には、１本の昇降コード２２を案内する案内ローラー４、ブロック部５１などが１つしか設けられていない。
【００４２】
このように、本発明に係るコード案内装置２０は、ブラインド２に応じて適切に構成することができる。
【００４３】
以上のように、本発明に係るコード案内装置２０は、昇降コード２２の巻き運動を円滑に行えるように構成されると共に、昇降コード２２が緩んで案内ローラー４から離脱して、案内ローラー４とローラーホルダー３との間に絡み合うことを解消することができる効果を有する。
【産業上の利用可能性】
【００４４】
本発明に係るコード案内装置は、ブラインドなどの昇降コードを案内するコード案内装置として有用である。
【符号の説明】
【００４５】
２  ブラインド
２０  コード案内装置
２１  トップフレーム
２１ａ  側壁
２１ｂ  端壁
２１ｃ  底壁
２１ｄ  位置決め孔
２００  収容空間
２２  昇降コード
２３  遮蔽手段
２４  コード巻取り装置
３  ローラーホルダー
３１  ベース壁
３１１  定位孔
３２  支え壁
３２１  張出し部
３２２  軸孔
３２３  上方端面
３２４  枢結孔
３３  第１側壁
３３´  第２側壁
３３２  通孔
３３３  案内周面
３３４  端面部
３３５  軸部
４  案内ローラー
４１  支軸
４２  フランジ
４３  ロール面
５  コードブロックユニット
５１  ブロック部
５１１  ブロック面
５２  連結部
５３、５３´  留め部
５３１  係止突起
５４  当て部
５４１  ピン孔
５６  ロッド
５６１  外周面
Ａ  緩み分
【図１】
2014152604.tif 000003
【図２】
2014152604.tif 000004
【図３】
2014152604.tif 000005
【図４】
2014152604.tif 000006
【図５】
2014152604.tif 000007
【図６】
2014152604.tif 000008
【図７】
2014152604.tif 000009
【図８】
2014152604.tif 000010
【図９】
2014152604.tif 000011
【図１０】
2014152604.tif 000012
【図１１】
2014152604.tif 000013
【図１２】
2014152604.tif 000014